(57)【要約】【課題】適切な位置に容易に便器本体を配置することができる洋風便器を提供する。【解決手段】洋風便器は、便鉢２と、便鉢２の後方で上壁１Ｕ及び周壁１Ｗに囲まれて下方が開口し、周壁１Ｗの内部に被案内面３ｍ、３ｎが形成された空洞部３を有する便器本体１を備えている。また、洋風便器は、空洞部３内に収納され、便器本体１を据え付ける床面Ｆに固定される便器固定部材１０を備えている。便器固定部材１０は、床面Ｆに固定される固定片１１と、固定片１１から設置時に上方に延びる脚部１２と、脚部１２と一体に設けられ、固定ビス２０により便器本体１と固定される固定部１３とを有している。脚部１２には、被案内面３ｍ、３ｎと当接して便器本体１を下方に案内する案内面１２ｍ、１２ｎが形成されている。【選択図】図１
2008261117.tif 000002
【特許請求の範囲】
【請求項１】
便鉢と、該便鉢の後方で上壁及び周壁に囲まれて下方が開口し、該周壁の内部に被案内面が形成された空洞部とを有する便器本体と、
該空洞部内に収納され、該便器本体を据え付ける床面に固定される便器固定部材とを備え、
該便器固定部材は、該床面に固定される固定片と、該固定片から設置時に上方に延びる脚部と、該脚部と一体に設けられ、便器固定具により該便器本体と固定される固定部とを有し、
該脚部には、該被案内面と当接して該便器本体を下方に案内する案内面が形成されていることを特徴とする洋風便器。
【請求項２】
前記被案内面は左右被案内面を有し、
前記案内面は、該左右被案内面を案内し、前記便器固定部材に対する前記便器本体の幅方向の位置決めを行う左右案内面を有する請求項１記載の洋風便器。
【請求項３】
前記左右被案内面は互いに対面する一対のものであり、前記左右案内面は互いに背面する一対のものであり、
各該左右被案内面は設置時に下方に向かうに従って互いに離れる方向に広がっている請求項２記載の洋風便器。
【請求項４】
前記被案内面は前後被案内面を有し、
前記案内面は、該前後被案内面を案内し、前記便器固定部材に対する前記便器本体の前後方向の位置決めを行う前後案内面を有する請求項１又は２記載の洋風便器。
【請求項５】
前記前後被案内面は互いに対面する一対のものであり、前記前後案内面は互いに背面する一対のものであり、
各該前後被案内面は設置時に下方に向かうに従って互いに離れる方向に広がっている請求項４記載の洋風便器。
【発明の詳細な説明】
【技術分野】
【０００１】
本発明は洋風便器に関する。
【背景技術】
【０００２】
特許文献１の図３に従来の洋風便器が開示されている。この洋風便器は、便鉢と、便鉢の後方で上壁及び周壁に囲まれて下方が開口した空洞部とを有する便器本体を備えている。この空洞部内には便器固定部材が収納されており、便器固定部材は便器本体を据え付ける床面に固定されている。この便器固定部材は、床面に固定される固定片と、固定片から設置時に上方に延びる脚部と、脚部と一体に設けられ、便器固定具により便器本体と固定される固定部とを有している。便器本体の上壁には貫通孔が設けられている。便器固定具がこの貫通孔に上方から挿通されている。そして、便器固定具の先端が便器固定部材の固定部にねじ込まれ、便器固定具の上端部が貫通孔の周縁部に係止することにより、便器本体が床面に据え付けられている。
【０００３】
このような構成である従来の洋風便器では、便器本体の上方から便器固定具を便器固定部材にねじ込むことにより便器本体を床面へ据え付けることができるため、便器本体の据え付け作業を容易に行なうことができる。
【０００４】
【特許文献１】特開２００２−１５５５６９号公報
【発明の開示】
【発明が解決しようとする課題】
【０００５】
しかし、上記従来の洋風便器は、便器本体の空洞部が上壁及び周壁に囲まれているため、便器固定部材の上方から便器本体を下降させて床面に配置する際、便器固定部材の位置を目視して確認することが困難である。このため、便器固定部材に対して適切な位置に便器本体を配置することが困難である。適切な位置に便器本体を配置することができない場合には、便器固定具に便器固定部材をねじ込むことができないため、適切な位置になるように再度、便器本体を配置し直さなければならないという手間を生じてしまう。
【０００６】
本発明は、上記従来の実情に鑑みてなされたものであって、適切な位置に容易に便器本体を配置することができる洋風便器を提供することを解決すべき課題としている。
【課題を解決するための手段】
【０００７】
本発明の洋風便器は、便鉢と、該便鉢の後方で上壁及び周壁に囲まれて下方が開口し、該周壁の内部に被案内面が形成された空洞部とを有する便器本体と、
該空洞部内に収納され、該便器本体を据え付ける床面に固定される便器固定部材とを備え、
該便器固定部材は、該床面に固定される固定片と、該固定片から設置時に上方に延びる脚部と、該脚部と一体に設けられ、便器固定具により該便器本体と固定される固定部とを有し、
該脚部には、該被案内面と当接して該便器本体を下方に案内する案内面が形成されていることを特徴とする。
【０００８】
このような構成である本発明の洋風便器では、便器本体の据え付け作業において、便器固定部材の脚部に形成された案内面に便器本体の空洞部に形成された被案内面を当接して、便器本体を下方に案内することができる。なお、便器本体を床面に配置した際には、案内面に被案内面が当接せずに若干の隙間を生じ得る。
【０００９】
したがって、本発明の洋風便器は、適切な位置に容易に便器本体を配置することができる。
【００１０】
本発明の洋風便器において、被案内面は左右被案内面を有し、案内面は、左右被案内面を案内し、便器固定部材に対する便器本体の幅方向の位置決めを行う左右案内面を有することが好ましい。この場合、便器本体の幅方向の適切な位置に容易に便器本体を配置することができる。
【００１１】
本発明の洋風便器において、左右被案内面は互いに対面する一対のものであり、左右案内面は互いに背面する一対のものであり、各左右被案内面は設置時に下方に向かうに従って互いに離れる方向に広がっていることが好ましい。この場合、便器固定部材の上方から便器本体を下降させる際に、空洞部内の所定の位置に便器固定部材を収納し易くなるため、便器本体の幅方向の適切な位置により容易に便器本体を配置することができる。
【００１２】
また、各左右案内面も設置時に下方に向かうに従って互いに離れる方向に広がっていても良い。この場合、左右案内面に左右被案内面が沿う状態で便器本体の空洞部内に便器固定部材が収納される。このため、便器本体の左右方向が傾いた状態で便器本体が床面に据え付けられることを防止することができる。
【００１３】
被案内面は前後被案内面を有し、案内面は、前後被案内面を案内し、便器固定部材に対する便器本体の前後方向の位置決めを行う前後案内面を有することが好ましい。この場合、便器本体の前後方向の適切な位置に容易に便器本体を配置することができる。
【００１４】
本発明の洋風便器において、前後被案内面は互いに対面する一対のものであり、前後案内面は互いに背面する一対のものであり、各前後被案内面は設置時に下方に向かうに従って互いに離れる方向に広がっていることが好ましい。この場合、便器固定部材の上方から便器本体を下降させる際に、空洞部内の所定の位置に便器固定部材を収納し易くなるため、便器本体の前後方向の適切な位置により容易に便器本体を配置することができる。
【００１５】
また、各前後案内面も設置時に下方に向かうに従って互いに離れる方向に広がっていても良い。この場合、前後案内面に前後被案内面が沿う状態で便器本体の空洞部内に便器固定部材が収納される。このため、便器本体の前後方向が傾いた状態で便器本体が床面に据え付けられることを防止することができる。
【発明を実施するための最良の形態】
【００１６】
以下、本発明を具体化した実施例を図面を参照しつつ説明する。
【００１７】
図１に示すように、洋風便器は、便器本体１と、便器固定部材１０と、便器固定具である先端が尖った固定ビス２０とを備えている。なお、便座及び便蓋の図示は省略する。
【００１８】
図１〜図３に示すように、便器本体１は、便鉢２と、便鉢２の後方で上壁１Ｕ及び周壁１Ｗに囲まれて下方が開口する空洞部３とを有している。図２及び図３に示すように、空洞部３は、左右の周壁１Ｗの下端から各々の内側に立ち上がる内壁３ａと、左右の各内壁３ａの上端を連結する上内壁３ｂとにより形成されている。左右の各内壁３ａの内面の上部には、互いに対面する一対の左右被案内面３ｍが形成されている。この一対の左右被案内面３ｍは、下方に向かうに従って互いに離れる方向に広がっている。上内壁３ｂは、左右方向の中心に便鉢２の下端から延びる便器排水路２ａを形成し、その左右に固定ビス２０を挿通する挿通孔３ｈが設けられている。
【００１９】
また、図１に示すように、便器本体１は、挿通孔３より前側の上内壁３ｂから垂下する垂下壁３ｃと、挿通孔３より後側の上内壁３ｂから垂下する垂下壁３ｄを有している。各垂下壁３ｃ、３ｄの下部には、対面する一対の前後被案内面３ｎが形成されている。この一対の前後被案内面３ｎは、下方に向かうに従って互いに離れる方向に広がっている。
【００２０】
また、便器本体１は、便器本体１の周壁１Ｗ内で便鉢２より後方に上下が開放した収納空間１Ｓを有している。収納空間１Ｓ内には、便器洗浄装置１００が収納されている。便器洗浄装置１００は、詳細を図示しないが、便器本体１の外部で水道管に接続された給水管に給水口が接続され、リム１ｒに吐水口が接続されている。
【００２１】
便器本体１の上壁１Ｕには、上壁１Ｕから空洞部３に向かって凹設され、底部に貫通孔４ｈを有する一対の凹部４が左右方向に離れて設けられている。
【００２２】
図２に示すように、空洞部３内には、便器固定部材１０が収納されている。便器固定部材１０は、一対の脚部１２を有している。各脚部１２は、先端が尖ったビス１０ｂにより床面Ｆに固定される各々の固定片１１から上方に延びている。各脚部１２は、左右被案内面３ｍ側に左右案内板１２ａを有し、この左右案内板１２ａの外面が互いに背面する一対の左右案内面１２ｍとされている。この一対の左右案内面１２ｍは下方に向かうに従って互いに離れる方向に広がっている。
【００２３】
また、図１に示すように、各脚部１２は、左右案内板１２ａの内側に前後案内板１２ｔを有している。各前後案内板１２ｔの前後端面は互いに背面する一対の前後案内面１２ｎとされている。この一対の前後案内面１２ｎは下方に向かうに従って互いに離れる方向に広がっている。
【００２４】
図２及び図３に示すように、便器固定部材１０は、各脚部１２の上端を連結する連結部１４を有している。固定片１１、脚部１２及び連結部１４は金属製であり、溶接されている。連結部１４の左右の上方には、固定部１３が設けられている。固定部１３は、固定ビス２０をねじ込み可能な樹脂製のブロックにより形成されている。
【００２５】
固定ビス２０は、凹部４の底部に設けられた貫通孔４ｈ及び上内壁３ｂに設けられた挿通孔３ｈに上方から挿通され、固定部１３にねじ込まれている。また、固定ビス２０の上端部２１は、ワッシャー２０ｗを介して凹部４の底面４ｔ（図３参照）に係止されている。
【００２６】
なお、この凹部４は、図示しないが、一般的な局部洗浄装置等の便器上面部材を便器本体１の上面に取付けるために利用される。一般的な便器上面部材は、所定の間隔を有して下方に突出する一対の締結部材を有している。このため、一対の凹部４は、一般的な便器上面部材に備えられている一対の各締結部材を挿入させるため、一対の各締結部材と同じ間隔を有している。つまり、便器本体１の床面Ｆへの据え付けと、局部洗浄装置の便器本体１の上面への取付けとを凹部４を利用して行うことができる。また、凹部４は、局部洗浄装置を便器本体１に取り付けるために、便器本体１の後部に備えられた便器洗浄装置１００より前方かつ便鉢２より後方に設けられている。
【００２７】
便器本体１の床面Ｆへの据え付け手順は以下のとおりである。先ず、図３に示すように、便器固定部材１０を床面Ｆの所定の位置にビス１０ｂにより固定する。次に、便器固定部材１０の上方から便器本体１を下降させ、便器固定部材１０を空洞部３内に収納しながら、便器本体１を床面Ｆに配置する。この際、左右被案内面３ｍ及び前後被案内面３ｎ（図１参照）は下方向に向かうに従って互いに離れる方向に広がっているため、空洞部３内の所定の位置に便器固定部材１０を収納し易く、便器固定部材１０に対する便器本体１の幅方向及び前後方向の位置決めを容易に行なうことができる。すなわち、便器本体１を下降させる際に、位置がずれていたとしても、便器固定部材１０の左右案内面１２ｍ及び前後案内面１２ｎが空洞部に形成された左右被案内面３ｍ及び前後被案内面３ｎに当接して、適正な位置に便器本体１を案内することができる。
【００２８】
また、図１又は図２に示すように、左右案内面１２ｍに左右被案内面３ｍが若干の隙間を開けながら沿う状態で、かつ前後案内面１２ｎに前後被案内面３ｎが若干の隙間を開けながら沿う状態で便器本体１が床面Ｆに配置されるため、便器本体１が左右方向に傾いたり、前後方向に傾いたりして床面Ｆに据え付けられることを防止することができる。その後、凹部４の上方から固定ビス２０を挿入し、固定ビス２０の上端部２１がワッシャー２０ｗを介して凹部４の底面４ｔに係止するまで、固定ビス２０を固定部１３にねじ込む。これにより、便器本体１は床面Ｆに据え付けられる。
【００２９】
したがって、実施例の洋風便器は、適切な位置に容易に便器本体１を配置することができる。
【００３０】
以上において、本発明を実施例に即して説明したが、本発明は上記実施例に制限されるものではなく、その趣旨を逸脱しない範囲で適宜変更して適用できることはいうまでもない。
【００３１】
例えば、便器洗浄装置１００に関しては、便器本体１の後部上方に載置され、洗浄水を貯留するタンクを有するものに変更することが可能である。
【産業上の利用可能性】
【００３２】
本発明は洋風水洗式便器に利用可能である。
【図面の簡単な説明】
【００３３】
【図１】実施例の洋風便器の横断面図である。
【図２】実施例の洋風便器に係り、図１のＡ−Ａ矢視断面図である。
【図３】実施例の洋風便器に係り、図１のＡ−Ａ矢視断面の分解図である。
【符号の説明】
【００３４】
１…便器本体
１Ｕ…上壁
１Ｗ…周壁
２…便鉢
３…空洞部
３ｍ、３ｎ…被案内面（３ｍ…左右被案内面、３ｎ…前後被案内面）
１０…便器固定部材
１１…固定片
１２…脚部
１２ｍ、１２ｎ…案内面（１２ｍ…左右案内面、１２ｎ…前後案内面）
１３…固定部
２０…固定ビス（便器固定具）
Ｆ…床面
【図１】
2008261117.tif 000003
【図２】
2008261117.tif 000004
【図３】
2008261117.tif 000005